(57)【要約】 【課題】  圧縮機の過負荷運転を回避する。【解決手段】  庫内温度がプルダウン温度よりも高いことが温度センサ２０で検知されると、冷却負荷が大きいと判断されて、プルダウン用のプログラムが実行される。まず第１電磁弁１８Ａが開放されるとともに圧縮機１１が起動され、第１冷却器１４Ａのみに冷媒が流通して第１冷蔵室１０Ａのみが冷却される。１０分間が経過するか第１冷蔵庫１０Ａの庫内温度が上限温度まで下がると、第２電磁弁１８Ｂが開放され、続いて第１電磁弁１８Ａが閉鎖される。その後は第２冷却器１４Ｂのみに冷媒が流通して第２冷蔵室１０Ｂのみが冷却され、同様の条件となったところで、再び第１電磁弁１８Ａが開放される。プルダウン制御では、最大１０分間で第１冷却器１４Ａと第２冷却器１４Ｂとに交互に冷媒が流通されるようになり、そのため圧縮機１１が過負荷運転をすることから回避される。【選択図】  図３
2005134091.tif 000002
【特許請求の範囲】
【請求項１】
圧縮機等を有する共通の冷凍装置に対し複数の冷却器が接続されてそれぞれ独立した貯蔵庫に配設され、各冷却器への冷媒の流通と停止とを制御することにより対応する各貯蔵庫がそれぞれ設定された温度に冷却されるようにした冷却貯蔵装置において、
前記貯蔵庫に係る冷却負荷が所定以上である場合には、同時に冷媒が流通される冷却器の数を制限し、かつ冷媒が流通可能とされる冷却器を順次に交替させるように制御することを特徴とする冷却貯蔵装置の稼働制御方法。
【請求項２】
圧縮機等を有する共通の冷凍装置に対し複数の冷却器がそれぞれ電磁弁を介して接続され、各冷却器が独立した貯蔵庫に配設されており、各貯蔵庫では、庫内温度を検知する温度センサの出力に基づいて対応する電磁弁が開閉されて冷却器への冷媒の流通と停止とが制御されることにより、庫内が設定温度に維持されるようにした冷却貯蔵装置において、
前記貯蔵庫に係る冷却負荷を検知する負荷検知手段と、
この負荷検知手段の検知値が所定以上である場合には、同時に開放される電磁弁の数を制限し、かつ開放可能とされる電磁弁を順次に交替させる弁駆動制御手段とが設けられていることを特徴とする冷却貯蔵装置。
【請求項３】
前記弁駆動制御手段は、一の電磁弁が開放している間は他の電磁弁が開放することを規制する制御信号を出力するとともに、前記一の電磁弁の開放時間が所定時間経過するか若しくはこの一の電磁弁を設けた貯蔵庫の庫内温度が所定以下に低下した場合に、前記制御信号を停止して他の電磁弁の開放を許容しその後に前記一の電磁弁を閉鎖する機能を備えていることを特徴とする請求項２記載の冷却貯蔵装置。
【請求項４】
前記各貯蔵庫には通信部が設けられ、前記制御信号等が前記各通信部間で通信可能となっていることを特徴とする請求項３記載の冷却貯蔵装置。
【請求項５】
前記冷却負荷が、前記温度センサの出力に基づいて定められることを特徴とする請求項２ないし請求項４のいずれかに記載の冷却貯蔵装置。
【発明の詳細な説明】
【技術分野】
【０００１】
本発明は、１台の冷凍装置で複数台の貯蔵庫を冷却する形式の冷却貯蔵装置及びその稼働制御方法に関する。
【背景技術】
【０００２】
冷却貯蔵装置の一形式として、以下のようなものが知られている。これは、圧縮機、凝縮器等を有する１台の冷凍装置が備られえる一方、この冷凍装置に対して２台の冷却器がそれぞれ電磁弁を介して接続され、各冷却器が独立した貯蔵庫に配設された構造となっている。そして各貯蔵庫では、温度センサで検知された庫内温度が予め設定された設定温度よりも高いか低いかによって対応する電磁弁が開閉され、冷却器への冷媒の流通と停止とが制御されることにより、庫内がほぼ設定温度に維持されるようになっている。  
なお、この種の冷却貯蔵装置は、特許文献１等に記載されている。
【特許文献１】特開２００２−２９５９４１公報
【発明の開示】
【発明が解決しようとする課題】
【０００３】
ところで、この種の冷却貯蔵装置では、両貯蔵庫の冷却具合によっては、両電磁弁がともに開いて両貯蔵庫の冷却器に冷媒が流通する、言い換えると両冷却器が揃って稼働することがあり得る。しかるにこれは、各貯蔵庫内を設定温度付近に維持するいわゆるコントロール運転のときはまだしも、例えば夏場に冷却貯蔵装置を設置して初めて運転する場合のように、両貯蔵庫の庫内温度が相当に高い状態から設定温度まで冷却しようとした場合（プルダウン運転）には、圧縮機が過負荷運転となり、保護装置が作動して停止するおそれがあった。  
本発明は上記のような事情に基づいて完成されたものであって、その目的は、圧縮機の過負荷運転を回避するところにある。
【課題を解決するための手段】
【０００４】
上記の目的を達成するための手段として、請求項１の発明に係る冷却貯蔵装置の稼働制御方法は、圧縮機等を有する共通の冷凍装置に対し複数の冷却器が接続されてそれぞれ独立した貯蔵庫に配設され、各冷却器への冷媒の流通と停止とを制御することにより対応する各貯蔵庫がそれぞれ設定された温度に冷却されるようにした冷却貯蔵装置において、前記貯蔵庫に係る冷却負荷が所定以上である場合には、同時に冷媒が流通される冷却器の数を制限し、かつ冷媒が流通可能とされる冷却器を順次に交替させるように制御するところに特徴を有する。
【０００５】
請求項２の発明は、圧縮機等を有する共通の冷凍装置に対し複数の冷却器がそれぞれ電磁弁を介して接続され、各冷却器が独立した貯蔵庫に配設されており、各貯蔵庫では、庫内温度を検知する温度センサの出力に基づいて対応する電磁弁が開閉されて冷却器への冷媒の流通と停止とが制御されることにより、庫内が設定温度に維持されるようにした冷却貯蔵装置において、前記貯蔵庫に係る冷却負荷を検知する負荷検知手段と、この負荷検知手段の検知値が所定以上である場合には、同時に開放される電磁弁の数を制限し、かつ開放可能とされる電磁弁を順次に交替させる弁駆動制御手段とが設けられている構成としたところに特徴を有する。
【０００６】
請求項３の発明は、請求項２に記載のものにおいて、前記弁駆動制御手段は、一の電磁弁が開放している間は他の電磁弁が開放することを規制する制御信号を出力するとともに、前記一の電磁弁の開放時間が所定時間経過するか若しくはこの一の電磁弁を設けた貯蔵庫の庫内温度が所定以下に低下した場合に、前記制御信号を停止して他の電磁弁の開放を許容しその後に前記一の電磁弁を閉鎖する機能を備えているところに特徴を有する。
【０００７】
請求項４の発明は、請求項３に記載のものにおいて、前記各貯蔵庫には通信部が設けられ、前記制御信号等が前記各通信部間で通信可能となっているところに特徴を有する。  
請求項５の発明は、請求項２ないし請求項４のいずれかに記載のものにおいて、前記冷却負荷が、前記温度センサの出力に基づいて定められるところに特徴を有する。
【発明の効果】
【０００８】
＜請求項１の発明＞
冷却負荷が所定以上になると、同時に冷媒が流通される冷却器の数が制限されつつ各冷却器に交替で冷媒が流通され、各貯蔵庫が交替して冷却される。例えば、庫内温度が相当に高い状態から設定温度まで冷却するプルダウン運転が必要な場合には、全冷却器に同時に冷媒を流通させるのではなく、一部の冷却器ずつ順次に流通させ得るようにしたから、圧縮機が過負荷運転をすることが回避される。そのため保護装置で停止されることなく圧縮機の運転が担保され、ひいてはプルダウン冷却を確実に行うことができる。
【０００９】
＜請求項２の発明＞
負荷検知手段により冷却負荷が所定以上であることが検知されると、弁駆動制御手段により、同時に開放する電磁弁の数が制限されつつ各電磁弁が交替で開放可能とされ、対応する冷却器に冷媒が流通されることで各貯蔵庫が交替して冷却される。  
庫内温度が相当に高い状態から設定温度まで冷却するプルダウン運転が必要な場合には、全電磁弁を同時に開放するのではなく一部の電磁弁ずつ順次に開放できるようにし、すなわち一部の冷却器ずつ順次に冷媒を流通させ得るようにしたから、圧縮機が過負荷運転をすることが回避される。そのため保護装置で停止されることなく圧縮機の運転が担保され、ひいてはプルダウン冷却を確実に行うことができる。
【００１０】
＜請求項３の発明＞
冷却負荷が所定以上であることが検知されて、まず一の電磁弁が開放されると、開放されている間制御信号が出されることで、他の電磁弁が開放することが規制される。一の電磁弁の開放時間が所定時間経過するか若しくはこの一の電磁弁を設けた貯蔵庫の庫内温度が所定以下に低下すると、制御信号が停止することで他の電磁弁の開放が許容され、したがって他の電磁弁を設けた貯蔵庫の庫内温度が高い等の条件を満たせば他の電磁弁が開放され、その後に一の電磁弁が閉鎖する。この繰り返しによって、各電磁弁が交替して開放される。
【００１１】
＜請求項４の発明＞
各電磁弁は、各通信部間で制御信号等を遣り取りしながらその開閉が制御される。  
＜請求項５の発明＞
冷却負荷の大小は、貯蔵庫に装備された温度センサの出力に基づいて定められる。
【発明を実施するための最良の形態】
【００１２】
以下、本発明の一実施形態を図１ないし図３に基づいて説明する。  
本実施形態では、図１に示すように、第１冷蔵庫１０Ａと第２冷蔵庫１０Ｂの２台を備えている。一方、両冷蔵庫１０Ａ，１０Ｂ内を冷却するための冷凍回路は、圧縮機１１、凝縮器１２、膨張機構１３（キャピラリチューブ）及び冷却器１４（蒸発器）を冷媒配管で循環接続した構造であるが、このうち圧縮機１１と凝縮器１２とは１個ずつであって、両者により本願発明に言う共通の冷凍装置１５が構成されている。それに対して、膨張機構１３と冷却器１４とは２個ずつ備えられ、膨張機構１３と冷却器１４とを１個ずつ直列に接続した組が２組形成され、各組が、凝縮器１２の出口と圧縮機１１の入口との間で並列に接続されている。
【００１３】
上記した冷凍回路において、一方の冷却器１４Ａ（以下、第１冷却器１４Ａという）は第１冷蔵庫１０Ａに、他方の冷却器１４Ｂ（以下、第２冷却器１４Ｂという）は第２冷蔵庫１０Ｂにそれぞれ設置されている。また、第１冷却器１４Ａ側の配管１７Ａには第１電磁弁１８Ａが、第２冷却器１４Ｂ側の配管１７Ｂには第２電磁弁１８Ｂが、それぞれ膨張機構１３の上流側に設けられている。  
各冷蔵庫１０Ａ，１０Ｂには、それぞれの庫内温度を検知する第１と第２の温度センサ２０Ａ，２０Ｂが設けられている。
【００１４】
また、各冷蔵庫１０Ａ，１０Ｂには、それぞれ信号入出力部２２Ａ，２２Ｂが装備されている。この信号入出力部２２Ａ，２２Ｂには、それぞれ対応する庫内温度センサ２０Ａ，２０Ｂからの入力線２３Ａ，２３Ｂ、電磁弁１８Ａ，１８Ｂへの出力線２４Ａ，２４Ｂ、及び圧縮機１１への出力線２５Ａ，２５Ｂが接続されている。また、両信号入出力部２２Ａ，２２Ｂ間は、双方向通信可能に通信線２７で接続されている。したがって信号入出力部２２Ａ，２２Ｂは、本願の通信部をも兼ねている。  
一方、後記するような制御を行うプログラムを格納した制御部３０が設けられ、上記した両信号入出力部２２Ａ，２２Ｂと接続されている。
【００１５】
先に、両冷蔵庫１０Ａ，１０Ｂの庫内温度をほぼ設定温度に維持するコントロール運転の際の動作を、図２のタイミングチャートによって説明する。  
基本的な動作としては、第１冷蔵庫１０Ａと第２冷蔵庫１０Ｂのいずれも、温度センサ２０Ａ，２０Ｂで検知された庫内温度が、設定温度よりも所定値高い上限温度に上昇したら、対応する電磁弁１８Ａ，１８Ｂがオン（開放）され、逆に設定温度よりも所定値低い下限温度に下降したら、電磁弁１８Ａ，１８Ｂがオフ（閉鎖）される。電磁弁１８Ａ，１８Ｂのいずれか一方がオンされることに伴って圧縮機１１がオン（起動）され、両電磁弁１８Ａ，１８Ｂがともにオフになったところで圧縮機１１がオフ（停止）される。
【００１６】
ここで圧縮機１１は、その保護のために２０秒以上連続運転される。逆に一旦停止されたら、１２０秒は停止時間を取る。そのため各冷蔵庫１０Ａ，１０Ｂにおいて、電磁弁１８Ａ，１８Ｂがオフとなったら、対応する信号入出力部２２Ａ，２２Ｂから、制御信号として、１２０秒間「Ｈ」信号が出力され、反対側の信号入出力部２２Ａ，２２Ｂには「Ｌ」信号として入力される。この「Ｌ」信号が入力された側では、１２０秒の間電磁弁１８Ａ，１８Ｂがオンされず、したがって圧縮機１１もオン（起動）されない。
【００１７】
また、両電磁弁１８Ａ，１８Ｂの一方がオフとなってから、制御信号「Ｈ」が出力されるまでにタイムラグができ、その隙を衝いて他方の電磁弁１８Ａ，１８Ｂがオンすると、圧縮機１１が一旦停止してから直ちに再起動する、いわゆる圧縮機１１の瞬間停止現象を呈するため、それを避けるために、電磁弁１８Ａ，１８Ｂがオフとなる前の１秒間に、制御信号「Ｈ」を出力するようにしている。言い換えると、庫内温度が下限温度に下降したときに制御信号「Ｈ」を出力し、１秒間遅延させて電磁弁１８Ａ，１８Ｂをオフするようにしている。
【００１８】
図２のタイミングチャートに倣うと、第１冷蔵庫１０Ａの庫内温度が上限温度に上がると（タイミングｔ１）、第１電磁弁１８Ａがオンするとともに圧縮機１１がオンし、第１冷却器１４Ａに冷媒が供給されて第１冷蔵庫１０Ａ内が冷却される。続いて、同様に第２冷蔵庫１０Ｂの庫内温度が上限温度に上がると（タイミングｔ２）、第２電磁弁１８Ｂがオンし、第２冷却器１４Ｂにも冷媒が供給されて第２冷蔵庫１０Ｂ内が冷却される。  
そののち、第１冷蔵庫１０Ａの庫内温度が下限温度に下がると（タイミングｔ３）、第１冷蔵庫１０Ａ側から制御信号「Ｈ」が出され、その１秒後に第１電磁弁１８Ａがオフとなる（タイミングｔ４）。さらに１２０秒間「Ｈ」信号が出力される。同様に、第２冷蔵庫１０Ｂの庫内温度が下限温度に下がると、第２冷蔵庫１０Ｂ側から制御信号「Ｈ」が出され、その１秒後に第２電磁弁１８Ｂがオフとなる（タイミングｔ５）。これに伴い、圧縮機１１がオフとなって停止する。さらに１２０秒間「Ｈ」信号が出力される。
【００１９】
それ以降、上記と同様の動作が繰り返される。ただ、両電磁弁１８Ａ，１８Ｂが閉じて圧縮機１１が停止したのち（タイミングｔ６）、１２０秒経過する前に、例えば先に第１電磁弁１８Ａが閉じた第１冷蔵庫１０Ａの庫内温度が上限温度まで上がったとしても（タイミングｔ７）、第１電磁弁１８Ａはオンされず、従って圧縮機１１もオンされない。１２０秒経過して初めて第１電磁弁１８Ａがオンされ、併せて圧縮機１１がオンする（タイミングｔ８）。  
コントロール運転時には以上のような動作が繰り返されて、第１冷蔵庫１０Ａと第２冷蔵庫１０Ｂの庫内温度が、それぞれほぼ設定温度に維持される。
【００２０】
さて本実施形態では、両冷蔵庫１０Ａ，１０Ｂの庫内温度が高い状態から設定温度付近まで冷却する場合、すなわちプルダウン運転を行う場合に、圧縮機１１が過負荷運転とならないような手段が講じられている。  
そのため、プルダウン運転時には、上記のコントロール運転時とは別のプログラムで制御されるようになっている。
【００２１】
以下、プルダウン運転の際の動作を、図３のタイミングチャートによって説明する。  
第１冷蔵庫１０Ａと第２冷蔵庫１０Ｂのいずれか一方の庫内温度でも、上限温度よりもさらに所定値高いプルダウン温度を超えていたら、プルダウン運転用のプログラムが実行され、端的には、第１冷蔵庫１０Ａと第２冷蔵庫１０Ｂに装備された第１電磁弁１８Ａと第２電磁弁１８Ｂとが、最長でも１０分間（正確には後記するように１０分と２秒間）ずつ交互にオン（開放）される。
【００２２】
このプログラムでは、上記したコントロール運転のときと同じく、圧縮機１１は、保護のために２０秒以上の連続運転と、１２０秒以上の停止時間が取られる。そのため既述したと同様に、電磁弁１８Ａ，１８Ｂがオフとなったら、対応する信号入出力部２２Ａ，２２Ｂから制御信号「Ｈ」が１２０秒間出力され、それに伴い反対側の信号入出力部２２Ａ，２２Ｂには「Ｌ」信号として入力され、その間対応する電磁弁１８Ａ，１８Ｂがオンすることが規制される。また、圧縮機１１の瞬間停止を防止するために、電磁弁１８Ａ，１８Ｂがオフとなる前の１秒間（以下、後の１秒間という）、制御信号「Ｈ」が出力されることも同様である。
【００２３】
それに加え、プルダウン運転用のプログラムでは、各電磁弁１８Ａ，１８Ｂがオンしている間、対応する信号入出力部２２Ａ，２２Ｂから制御信号「Ｈ」が出力され、それに伴い反対側の信号入出力部２２Ａ，２２Ｂには「Ｌ」信号として入力され、その間対応する電磁弁１８Ａ，１８Ｂがオンすることが規制される。ただし、電磁弁１８Ａ，１８Ｂがオフとなる２秒前からの１秒間（以下、先の１秒間という）、制御信号「Ｌ」が出力される。それに伴い反対側の信号入出力部２２Ａ，２２Ｂには「Ｈ」信号として入力され、その間、対応する電磁弁１８Ａ，１８Ｂがオンすることが可能とされる。このとき電磁弁１８Ａ，１８Ｂがオンする条件としては、対応する冷蔵庫１０Ａ，１０Ｂの庫内温度が上限温度以上にあることである。
【００２４】
なお、一方の電磁弁１８Ａ，１８Ｂがオフとなる前における先の１秒間において、反対側の冷蔵庫１０Ａ，１０Ｂの庫内温度が上限温度未満であったり、あるいは除霜運転中であると、対応する電磁弁１８Ａ，１８Ｂがオンしないため、一方の電磁弁１８Ａ，１８Ｂがオフとなることに伴って圧縮機１１がオフとなるのであるが、この場合も、１２０秒の制御信号「Ｈ」が出力されるまでの隙に他方の電磁弁１８Ａ，１８Ｂがオンすると、同じく圧縮機１１の瞬間停止現象を呈するため、それを避けるために、後の１秒間の制御信号「Ｈ」を出力することが有効となる。
【００２５】
プルダウン運転時の制御を、図３のタイミングチャートによって説明する。プルダウン運転時には、例えば先に第１冷蔵庫１０Ａの第１電磁弁１８Ａが、後に第２冷蔵庫１０Ｂの第２電磁弁１８Ｂがオンするように定められる。  
庫内温度条件からプルダウン運転用のプログラムが実行されると、まず、電源がオンされたところで（タイミングＴ１）、第１冷蔵庫１０Ａ側の信号入出力部２２Ａから制御信号「Ｈ」が出力され、１２０秒経過すると（タイミングＴ２）、第１電磁弁１８Ａがオンするとともに圧縮機１１がオンし、第１冷却器１４Ａに冷媒が供給されて第１冷蔵庫１０Ａ内が冷却される。制御信号「Ｈ」は継続して出力される。
【００２６】
第１冷蔵庫１０Ａの庫内温度が未だ上限温度より高くても、第１電磁弁１８Ａがオンしてから１０分間が経過すると（タイミングＴ３）、第１冷蔵庫１０Ａ側から制御信号「Ｌ」が１秒間（先の１秒間）出力され、それに伴い第２冷蔵庫１０Ｂ側に制御信号「Ｈ」が入力される。このとき、第２冷蔵庫１０Ｂの庫内温度が上限温度以上であれば、第２電磁弁１８Ｂがオンし、併せて第２冷蔵庫１０Ｂ側から制御信号「Ｈ」が継続して出力される。そののち、後の１秒間を経て第１電磁弁１８Ａがオフとなり（タイミングＴ４）、それからは第２冷却器１４Ｂにのみ冷媒が供給されて第２冷蔵庫１０Ｂ内のみが冷却される。
【００２７】
第２電磁弁１８Ｂがオンしてから１０分間が経過するか、あるいは第２冷蔵庫１０Ｂの庫内温度が上限温度未満に下がると（タイミングＴ５）、第２冷蔵庫１０Ｂ側から制御信号「Ｌ」が１秒間（先の１秒間）出力され、それに伴い第１冷蔵庫１０Ａ側に制御信号「Ｈ」が入力される。このとき、第１冷蔵庫１０Ａの庫内温度が上限温度以上であれば、第１電磁弁１８Ａがオンし、併せて第１冷蔵庫１０Ａ側から制御信号「Ｈ」が継続して出力される。そののち、後の１秒間を経て第２電磁弁１８Ｂがオフとなり（タイミングＴ６）、それからは第１冷却器１４Ａにのみ冷媒が供給されて第１冷蔵庫１０Ａ内のみが冷却される。
【００２８】
そののち、第１冷蔵庫１０Ａの庫内温度が上限温度まで下がると（タイミングＴ７）、第１冷蔵庫１０Ａ側から制御信号「Ｌ」が１秒間（先の１秒間）出力され、それに伴い第２冷蔵庫１０Ｂ側に制御信号「Ｈ」が入力される。このとき、第２冷蔵庫１０Ｂの庫内温度が上限温度未満であれば、第２電磁弁１８Ｂはオフのままである。そののち、後の１秒間を経て第１電磁弁１８Ａもオフとなり、圧縮機１１も停止する。両電磁弁１８Ａ，１８Ｂが併せてオフとなったことを以て、プルダウン運転が終了する。  
その後は、１２０秒の圧縮機１１の停止時間が取られたのち、既述したコントロール運転が行われる。
【００２９】
以上のように本実施形態によれば、プルダウン運転を行う必要がある場合には、第１電磁弁１８Ａと第２電磁弁１８Ｂとが交互に開放可能とされ、すなわち第１冷却器１４Ａと第２冷却器１４Ｂとに交互に冷媒を流通させることから、圧縮機１１が過負荷運転をすることが回避される。そのため圧縮機１１は、保護装置で停止されることなくその運転が担保され、ひいては各冷蔵庫１０Ａ，１０Ｂにおけるプルダウン冷却を確実に行うことができる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、プルダウン冷却の制御に入るトリガとなる冷却負荷が所定以上であることを、少なくとも一方の冷蔵庫の庫内温度が上限温度よりも所定値大きいプルダウン温度以上であることを以て判断したが、この他にも、両冷蔵庫の庫内温度がプルダウン温度以上であるとか、プルダウン温度に代えて上限温度を用いるといったように、条件等に応じて適当なものを設定することができる。
【００３１】
（２）プルダウン運転において電磁弁が連続開放される時間を最大１０分としたのは一例であって、他の適当な時間を設定してもよい。  
（３）両信号入出力部を共通として通信機能は敢えて備えないようにしてもよく、そのようなものも本発明の技術的範囲に含まれる。  
（４）本発明は、１台の冷凍装置で３以上の複数台の貯蔵庫を冷却する形式の冷却貯蔵装置にも、同様に適用することが可能である。
【図面の簡単な説明】
【００３２】
【図１】本発明の一実施形態のシステムブロック図
【図２】コントロール運転時のタイミングチャート
【図３】プルダウン運転時並びにコントロール運転に移行する際のタイミングチャート
【符号の説明】
【００３３】
１０Ａ，１０Ｂ…冷蔵庫（貯蔵庫）  １１…圧縮機  １４Ａ，１４Ｂ…冷却器  １５…冷凍装置  １８Ａ，１８Ｂ…電磁弁  ２０Ａ，２０Ｂ…温度センサ（負荷検知手段）  ２２Ａ，２２Ｂ…信号入出力部（通信部）  ３０…制御部（弁駆動制御手段）
【図１】
2005134091.tif 000003
【図２】
2005134091.tif 000004
【図３】
2005134091.tif 000005